(57)【要約】【課題】レンズの光軸を精度よく調整する。【解決手段】レンズ鏡筒２によれば、ビス５１を締め付けた場合、先端部材４４がビス５１で軸線Ｇ方向に押圧され、高さ方向Ｚのうち表側から裏側に向かう方向に先端部材４４が移動される。一方、ビス５１を緩めた場合、コイルバネ４３で先端部材４４が軸線Ｇ方向の前方に付勢されていることから、高さ方向Ｚのうち裏側から表側に向かう方向に先端部材４４が移動される。また、ビス５２を締め付けた場合、先端部材４４がビス５２で押圧され、矢印Ｂ１方向に先端部材４４が移動される。一方、ビス５２を緩めた場合、板バネ５５で先端部材４４が付勢されていることから、矢印Ｂ２方向に先端部材４４が移動される。従って、ビス５１，５２の締め付け具合を調整することにより、ガイド軸１４における高さ方向及び幅方向Ｘの位置のそれぞれを独立して調整することができる。【選択図】図３
2009139579.tif 000002
【特許請求の範囲】
【請求項１】
レンズを保持するレンズ枠と、前記レンズが光軸方向に沿って移動するように前記レンズ枠の移動を案内するガイド軸と、前記レンズ枠を収容すると共に前記ガイド軸の一端部を支持するハウジングと、を備えたレンズ鏡筒であって、
前記ハウジングに螺合され、前記ガイド軸の軸線方向と交差する第１の方向に前記ガイド軸の他端部が移動するように前記他端部を押圧する第１の押圧部材と、
前記ハウジングに螺合され、前記軸線方向と交差する第２の方向に前記他端部が移動するように前記他端部を押圧する第２の押圧部材と、
前記第１の押圧部材の押圧方向に対して反対の方向に前記他端部を付勢する第１の付勢部材と、
前記第２の押圧部材の押圧方向に対して反対の方向に前記他端部を付勢する第２の付勢部材と、を有することを特徴とするレンズ鏡筒。
【請求項２】
前記第１の押圧部材は、前記ハウジングに前記軸線方向に螺合され、前記他端部を前記軸線方向に押圧し、
前記第２の押圧部材は、前記ハウジングに前記第２の方向に螺合され、前記他端部を前記第２の方向に押圧し、
前記他端部と前記ハウジングとは、前記軸線方向及び前記第１の方向と交差する傾斜面を介して互いに接触していることを特徴とする請求項１記載のレンズ鏡筒。
【請求項３】
前記第１及び第２の押圧部材のそれぞれは、前記ハウジングに前記軸線方向に螺合され、前記他端部を押圧し、
前記第１の押圧部材と前記他端部とは、前記軸線方向及び前記第１の方向に交差する傾斜面を介して互いに接触しており、
前記第２の押圧部材と前記他端部とは、前記軸線方向及び前記第２の方向に交差する傾斜面を介して互いに接触していることを特徴とする請求項１記載のレンズ鏡筒。
【請求項４】
請求項１〜３の何れか一項記載のレンズ鏡筒と、
前記レンズによって結像された光を検出する撮像素子と、を備えることを特徴とする撮像装置。
【発明の詳細な説明】
【技術分野】
【０００１】
本発明は、例えばカメラ付き携帯電話機等に適用されるレンズ鏡筒及び撮像装置に関する。
【背景技術】
【０００２】
従来のレンズ鏡筒としては、レンズを保持するレンズ枠と、レンズが光軸方向に沿って移動するようにレンズ枠の移動を案内するガイド軸と、レンズ枠を収容すると共にガイド軸の一端部を支持するハウジングと、を備え、軸受にガイド軸が偏心されて支持されているものが知られている（例えば、特許文献１〜４参照）。このようなレンズ鏡筒では、軸受を回転させることで、ガイド軸の倒れが変化するようにガイド軸が移動され、レンズの光軸が調整される。
【特許文献１】特開２００６−２２７１７０号公報
【特許文献２】特開２００６−２０８５５４号公報
【特許文献３】特開２００６−３０９０５３号公報
【特許文献４】特開２００７−１９９４０８号公報
【発明の開示】
【発明が解決しようとする課題】
【０００３】
しかしながら、上述したような技術では、レンズの光軸を調整する際、ガイド軸を一定の軌跡で移動させることしかできないため、レンズの光軸の調整が制限されてしまい、レンズの光軸を精度よく調整できないおそれがある。
【０００４】
そこで、本発明は、レンズの光軸を精度よく調整することができるレンズ鏡筒及び撮像装置を提供することを課題とする。
【課題を解決するための手段】
【０００５】
上記課題を解決するため、本発明に係るレンズ鏡筒は、レンズを保持するレンズ枠と、レンズが光軸方向に沿って移動するようにレンズ枠の移動を案内するガイド軸と、レンズ枠を収容すると共にガイド軸の一端部を支持するハウジングと、を備えたレンズ鏡筒であって、ハウジングに螺合され、ガイド軸の軸線方向と交差する第１の方向にガイド軸の他端部が移動するように他端部を押圧する第１の押圧部材と、ハウジングに螺合され、軸線方向と交差する第２の方向に他端部が移動するように他端部を押圧する第２の押圧部材と、第１の押圧部材の押圧方向に対して反対の方向に他端部を付勢する第１の付勢部材と、第２の押圧部材の押圧方向に対して反対の方向に他端部を付勢する第２の付勢部材と、を有することを特徴とする。
【０００６】
このレンズ鏡筒では、第１の押圧部材を締めることにより、ガイド軸の他端部（以下、単に「他端部」という）が第１の押圧部材で押圧されるため、他端部が第１の方向に移動される一方、第１の押圧部材を緩めることにより、他端部が第１の付勢部材で付勢されていることから、他端部が第１の方向に対し反対の方向に移動される。また、第２の押圧部材を締めることにより、他端部が第２の押圧部材で押圧されるため、他端部が第２の方向に移動される一方、第２の押圧部材を緩めることにより、他端部が第２の付勢部材で付勢されていることから、他端部が第２の方向に対し反対の方向に移動される。従って、ガイド軸における第１及び第２の方向に沿う位置のそれぞれを独立して調整することができ、レンズの光軸を精度よく調整することが可能となる。
【０００７】
ここで、第１の押圧部材は、ハウジングに軸線方向に螺合され、他端部を軸線方向に押圧し、第２の押圧部材は、ハウジングに第２の方向に螺合され、他端部を第２の方向に押圧し、他端部とハウジングとは、軸線方向及び第１の方向と交差する傾斜面を介して互いに接触していることが好ましい。
【０００８】
この場合、第１の押圧部材で軸線方向に押圧された、又はこの押圧方向と反対の方向に第１の付勢部材で付勢された他端部は、傾斜面に案内されるように移動され、第１の方向又は第１の方向と反対の方向に移動される。一方、第２の押圧部材で第２の方向に押圧された、又はこの押圧方向と反対の方向に第２の付勢部材で付勢された他端部は、第２の方向又は第２の方向と反対の方向に移動される。従って、ガイド軸における第１及び第２の方向に沿う位置のそれぞれを独立して調整するという上記作用効果を、好適に発揮することができる。さらに、この場合、第１の押圧部材がハウジングに軸線方向に螺合されると共に、第２の押圧部材がハウジングに第２の方向に螺合されるため、ハウジングにおける第１の方向に沿う方向の構成上の制約（例えば、押圧部材が螺合するネジ長の確保等）が少なくなり、ハウジングの薄型化を実現することが可能となる。
【０００９】
また、第１及び第２の押圧部材のそれぞれは、ハウジングに軸線方向に螺合され、他端部を押圧し、第１の押圧部材と他端部とは、軸線方向及び第１の方向に交差する傾斜面を介して互いに接触しており、第２の押圧部材と他端部とは、軸線方向及び第２の方向に交差する傾斜面を介して互いに接触していることが好ましい。
【００１０】
この場合、第１の押圧部材で押圧された、又は第１の付勢部材で付勢された他端部は、軸線方向及び第１の方向に交差する傾斜面に案内されるように移動され、第１の方向又は第１の方向と反対の方向に移動される。また、第２の押圧部材で押圧された、又は、第２の付勢部材で付勢された他端部は、軸線方向及び第２の方向に交差する傾斜面に案内されるように移動され、第２の方向又は第２の方向と反対の方向に移動される。従って、ガイド軸における第１及び第２の方向に沿う位置のそれぞれを独立して調整するという上記作用効果を、好適に発揮することができる。さらに、この場合、第１及び第２の押圧部材のそれぞれがハウジングに軸線方向に螺合されるため、ハウジングにおける第１及び第２の方向の構成上の制約が少なくなり、ハウジングの薄型化を実現することが可能となる。
【００１１】
また、本発明に係る撮像装置は、上述したレンズ鏡筒と、レンズによって結像された光を検出する撮像素子と、を備えることを特徴とする。
【００１２】
この撮像装置では、上述したレンズ鏡筒を備えていることから、上記効果と同様な効果、すなわち、レンズの光軸を精度よく調整するという効果が奏される。
【発明の効果】
【００１３】
本発明によれば、レンズの光軸を精度よく調整することが可能となる。
【発明を実施するための最良の形態】
【００１４】
以下、本発明の好適な実施形態について、図面を参照して詳細に説明する。なお、各図において同一又は相当部分には同一符号を付し、重複する説明を省略する。
【００１５】
まず、本発明に係る撮像装置の第１実施形態について説明する。図１は、本発明に係る撮像装置の第１実施形態の斜視図である。図１に示されるように、撮像装置１は、対向する底面が長方形状であり且つ高さが底面の各辺よりも短い直方体形状のレンズ鏡筒２と、ＣＭＯＳ等の撮像素子３とを備えている。レンズ鏡筒２には、屈曲光学系が適用されている。これにより、撮像装置１では、レンズ鏡筒２の高さ方向（以下、単に「高さ方向」という）Ｚと平行な光軸Ｌ１に沿って被写体側から入射した光は、レンズ鏡筒２の底面の長手方向（以下、単に「長手方向」という）Ｙと平行な光軸Ｌ２に沿うようにレンズ鏡筒２によって９０°屈曲されて、撮像素子３によって検出される。
【００１６】
図２は、図１の撮像装置の分解斜視図であり、図３は、図１の撮像装置の内部構成図である。図２，３に示されるように、レンズ鏡筒２は、箱状のハウジング４を備えている。ハウジング４は、長手方向Ｙにおいて撮像素子３側に開口する開口部５ａ、及び長手方向Ｙと直交し且つ高さ方向と直交する方向（以下、「幅方向」という）Ｘにおいて一方の側に開口する開口部５ｂが形成された本体部５、並びに本体部５の開口部５ａを覆う蓋部６を有している。本体部５及び蓋部６のそれぞれは、例えば、ガラス繊維入りポリカーボネートからなり、射出成形によって一体的に形成されている。
【００１７】
本体部５の表壁（すなわち、レンズ鏡筒２の被写体側の底面を有する壁）には、光軸Ｌ１に沿って被写体側から進行してきた光を本体部５内に進入させる光通過孔５ｃが形成されており、本体部５の表壁には、光通過孔５ｃを覆う光透過板７が取り付けられている。なお、光透過板７に代えて、レンズを用いてもよい。ハウジング４内には、光軸Ｌ１上において光通過孔５ｃの後側に位置し、光軸Ｌ１に沿って被写体側から入射した光を光軸Ｌ２に沿うように９０°屈曲するプリズム８が配置されている。また、ハウジング４内には、光軸Ｌ２上において撮像素子３の前側に位置する固定レンズ１１が配置されている。プリズム８は、本体部５によって保持されており、固定レンズ１１は、蓋部６によって保持されている。
【００１８】
なお、長手方向Ｙにおいて撮像素子３と反対側の本体部５の端部は、本体部５の裏壁（すなわち、レンズ鏡筒２の被写体と反対側の底面を有する壁）がクランク状に屈曲されて切欠き部５ｄが形成されることで、本体部５のその他の部分に比べて薄型化（低背化）されている。このように、長手方向Ｙにおいて撮像素子３と反対側の本体部５の端部を薄型化することができるのは、本体部５の端部については、その内部に配置されるプリズム８の厚さ分を考慮すれば充分だからである。
【００１９】
更に、ハウジング４内には、光軸Ｌ２上に位置するシャッタ・ズームレンズユニット１２、及び光軸Ｌ２上においてシャッタ・ズームレンズユニット１２と固定レンズ１１との間に位置するズームフォーカスレンズユニット１３が配置されている。
【００２０】
シャッタ・ズームレンズユニット１２は、光軸Ｌ２に沿って進行してきた光の通過及び遮断を選択的に行うシャッタ、並びにズームレンズを含んでいる。シャッタ・ズームレンズユニット１２は、ハウジング４内において光軸Ｌ２に対し開口部５ｂ側に立設されたガイド軸１４に係合する円筒状の係合部１２ａ、及びハウジング４内において光軸Ｌ２に対し開口部５ｂと反対側に立設された回り止め軸１５に係合するＵ字溝状の係合部１２ｂを有している。これにより、シャッタ・ズームレンズユニット１２は、光軸Ｌ２回りの回転が規制された状態で、光軸Ｌ２に沿って移動することが可能となる。
【００２１】
ズームフォーカスレンズユニット１３は、ズームフォーカスレンズを含んでいる。ズームフォーカスレンズユニット１３は、ハウジング４内において光軸Ｌ２に対し開口部５ｂ側に立設されたガイド軸１６に係合する円筒状の係合部１３ａ、及び回り止め軸１５に係合するＵ字溝状の係合部１３ｂを有している。これにより、ズームフォーカスレンズユニット１３は、光軸Ｌ２回りの回転が規制された状態で、光軸Ｌ２に沿って移動することが可能となる。なお、ガイド軸１４とガイド軸１６とは、高さ方向Ｚにおいて並設されている。
【００２２】
本体部５の開口部５ｂ内には、駆動ユニット１７が配置されている。図４は、図１の撮像装置の駆動ユニットの斜視図である。図４に示されるように、駆動ユニット１７は、長方形薄板状の取付部１８ａ、及びその長手方向における両端に立設された長方形薄板状の支持部１８ｂ，１８ｃを含む支持部材１８を有している。支持部材１８は、ステンレス鋼の薄板を折り曲げることで一体的に形成されている。
【００２３】
支持部１８ｂの外面には、ステッピングモータ２１が取り付けられている。ステッピングモータ２１のリードスクリュー２２の両端部は、支持部１８ｂ，１８ｃによって軸支されており、リードスクリュー２２における支持部１８ｂ，１８ｃ間の部分には、凸部２３ａを有する従動ナット２３が螺合されている。一方、支持部１８ｃの外面には、ステッピングモータ２４が取り付けられている。ステッピングモータ２４のリードスクリュー２５の両端部は、支持部１８ｂ，１８ｃによって軸支されており、リードスクリュー２５における支持部１８ｂ，１８ｃ間の部分には、凸部２６ａを有する従動ナット２６が螺合されている。なお、リードスクリュー２２とリードスクリュー２５とは、支持部１８ｂ，１８ｃの立設方向において並設されている。
【００２４】
図２，３に示されるように、駆動ユニット１７は、支持部１８ｂ，１８ｃの立設方向が高さ方向Ｚと一致するように本体部５の開口部５ｂ内に配置されており、取付部１８ａが本体部５の表壁にネジ止めされることで本体部５に取り付けられている。このように、駆動ユニット１７においては、ステッピングモータ２１とステッピングモータ２４とが互い違いに配置されることで、リードスクリュー２２とリードスクリュー２５との近接化が図られている。これにより、駆動ユニット１７は、本体部５延いてはレンズ鏡筒２の薄型化に寄与することになる。
【００２５】
リードスクリュー２２に螺合された従動ナット２３の凸部２３ａは、シャッタ・ズームレンズユニット１２が有する係合部１２ｃの凹部に嵌合している。これにより、ステッピングモータ２１によってリードスクリュー２２が回転されると、シャッタ・ズームレンズユニット１２が光軸Ｌ２に沿って移動することになる。一方、リードスクリュー２５に螺合された従動ナット２６の凸部２６ａは、ズームフォーカスレンズユニット１３が有する係合部１３ｃの凹部に嵌合している。これにより、ステッピングモータ２４によってリードスクリュー２５が回転されると、ズームフォーカスレンズユニット１３が光軸Ｌ２に沿って移動することになる。
【００２６】
ハウジング４の蓋部６には、光軸Ｌ２上において固定レンズ１１の後側に位置する撮像素子３が内面に設けられた回路基板２７が取り付けられている。回路基板２７の内面には、シャッタ駆動回路やモータ駆動回路等も設けられており、回路基板２７の外面には、回路基板２７に対して電気信号を入出力するためのコネクタ接続ポート２８が設けられている。駆動ユニット１７の各ステッピングモータ２１，２４とモータ駆動回路とは、本体部５において開口部５ａと対向する側壁の外面及び開口部５ｂと対向する側壁の外面に配置されたフレキシブルプリント基板（以下、「ＦＰＣ」という）３１によって電気的に接続されている。シャッタ・ズームレンズユニット１２のシャッタとシャッタ駆動回路とは、本体部５において開口部５ｂと対向する側壁の外面に延出するＦＰＣ３２、及びＦＰＣ３２と電気的に接続されたＦＰＣ３１によって電気的に接続されている。
【００２７】
本体部５の開口部５ｂ内に配置された駆動ユニット１７、及び本体部５において開口部５ａと対向する側壁の外面に配置されたＦＰＣ３１は、ステンレス鋼からなる薄板をＬ字状に折り曲げることで一体的に形成された外装カバー３３によって覆われている。また、本体部５において開口部５ｂと対向する側壁の外面に配置されたＦＰＣ３１、及びハウジング４の蓋部６に取り付けられた回路基板２７は、ステンレス鋼からなる薄板をＬ字状に折り曲げることで一体的に形成された外装カバー３４によって覆われている。
【００２８】
外装カバー３３と外装カバー３４とは、本体部５において開口部５ａと対向する側壁と開口部５ｂと対向する側壁とが交差する角部で着脱可能に係合しており、本体部５において開口部５ａと開口部５ｂとで挟まれた角部でハウジング４の蓋部６にピン止めされている。また、外装カバー３４は、回路基板２７のグランド端子と電気的に接続されており、更に、各外装カバー３３，３４は、本体部５の表壁の外面及び裏壁の外面に蒸着等によって形成された金属膜と電気的に接続されている。これにより、撮像装置１の各構成部品は、電磁シールドによって覆われることになる。なお、外装カバー３４において回路基板２７のコネクタ接続ポート２８に対応する部分は、コネクタ接続ポート２８に対するコネクタのアクセスが可能となるように切り欠かれている。
【００２９】
次に、上述したガイド軸１４に関して詳細に説明する。
【００３０】
図３に示されるように、ガイド軸１４は、シャッタ・ズームレンズユニット（レンズ，レンズ枠）１２が光軸Ｌ２方向に沿って移動するように、シャッタ・ズームレンズユニット１２の移動を案内するものである。このガイド軸１４は、軸体４１及び先端部材４４を有している。
【００３１】
軸体４１は、その軸線Ｇが光軸Ｌ２と平行に（つまり、長手方向Ｙに沿って）ハウジング４内に配置されている。また、軸体４１には、シャッタ・ズームレンズユニット１２の係合部１２ａが摺動可能に係合している。この軸体４１の後方端部である基端部（一端部）４１ａは、ハウジング４の本体部５の凹部４２に嵌合されて支持されている。この凹部４２は、具体的には、本体部５において固定レンズ１１よりも開口部５ｂ側に設けられ、前方に開口している。
【００３２】
また、凹部４２と基端部４１ａとの間には、コイルバネ４３が介在されている。コイルバネ４３は、基端部４１ａを長手方向Ｙの前側に付勢するものであり、軸体４１と同軸に配置されている。なお、ここでは、軸体４１とコイルバネ４３とは別部材としているが、これらは、一体に構成してもよい。また、コイルバネ４３に代えて、付勢バネを用いてもよい。
【００３３】
図５は図３のV−V線に沿う一部断面図、図６は図１の撮像装置におけるレンズ鏡筒の要部を示す斜視図である。図５，６に示されるように、先端部材４４は、軸体４１の先端部４１ｂに固定されており、ガイド軸１４の先端部（他端部）を構成する。この先端部材４４は、先端側の一辺が切り欠かれたような略立方体形状を呈している。つまり、先端部材４４の外面には、本体部５の凹部４５の内面に接触するためのものとして、軸線Ｇ方向と交差する傾斜面Ｓ１が形成されている。図３に示されるように、凹部４５は、本体部５においてプリズム８よりも開口部５ａ側に設けられ後方に開口している。また、図５に示されるように、凹部４５の底壁５ｅ側の面は、切欠き部５ｄに沿うような傾斜面Ｓ２が設けられている。
【００３４】
そして、この先端部材４４は、その傾斜面Ｓ１が凹部４５の傾斜面Ｓ２に当接するように当該凹部４５に収容されている。つまり、先端部材４４とハウジング４とは、傾斜面Ｓ（傾斜面Ｓ１，Ｓ２）を介して互いに接触し、この傾斜面Ｓは、軸線Ｇ方向及び高さ方向Ｚと交差している。
【００３５】
また、この先端部材４４は、凹部４５に収容された状態で、その先端側の面４４ａにビス（第１の押圧部材）５１が当接されており、図３に示されるように、開口部側の面４４ｂにビス（第２の押圧部材）５２が当接されている。そして、凹部４５内の先端部材４４の周囲には、接着剤（不図示）が充填されている。
【００３６】
図５，６に示されるように、ビス５１は、円柱形状を呈しており、その外周面に雄ネジが形成されている。このビス５１は、凹部４５の底面を構成する本体部５の底壁部５３に、先端部材４４に向かうように軸線Ｇ方向に螺合されている。よって、ビス５１を底壁部５３に締め付けることで、ビス５１の先端面が面４４ａに当接され、先端部材４４が軸線Ｇ方向の後方に押圧される。
【００３７】
また、図３，６に示されるように、ビス５２は、円柱形状を呈しており、その外周面に雄ネジが形成されている。このビス５２は、凹部４５の開口側の側面を構成する本体部５の側壁部５４に、先端部材４４に向かう幅方向Ｘで螺合されている。よって、ビス５２を側壁部５４に締め付けることで、ビス５２の先端面が先端部材４４の面４４ｂに当接され、先端部材４４が幅方向Ｘに押圧される。
【００３８】
なお、上述したビス５１，５２の螺合には、予めネジ孔を設けてこのネジ孔に締め付ける場合や、ビス５１，５２自体でネジを刻みながら締め付ける（いわゆる、セルフタッピング）場合がある（以下のビスにおいて同じ）。また、ビス５１，５２を本体部５に固定すべく、ビス５１，５２の頭部が覆われるように接着剤を塗布する場合がある。
【００３９】
図７は、図６のレンズ鏡筒の要部の正面図である。図７に示されるように、レンズ鏡筒２は、板バネ５５を備えている。板バネ５５は、略Ｌ字に屈曲された断面形状を呈しており、幅方向Ｘ及び高さ方向Ｚのそれぞれに先端部材４４を付勢する。この板バネ５５は、具体的には、先端部材４４の面４４ｃと凹部４５との間、及び面４４ｄと凹部４５との間に介在されており、面４４ｃが幅方向Ｘに付勢されると共に、面４４ｄが高さ方向Ｚに付勢される。
【００４０】
次に、撮像装置１のレンズ鏡筒２における光軸Ｌ２の調整について説明する。レンズ鏡筒２では、例えば製造・組立工程において、撮像素子３で撮像された像を観察しつつ、この像が最適なものとなるように、ビス５１，５２の締め付け具合を調整してガイド軸１４を移動させる。そして、充填口（不図示）から凹部４５内に接着剤を充填し、ガイド軸１４を固定する。
【００４１】
このガイド軸１４の移動について、具体的には、ビス５１を締め付けた場合、ビス５１が先端部材４４に向かうように移動され、先端部材４４の面４４ａがビス５１で軸線Ｇ方向に押圧される。このとき、先端部材４４と本体部５とが傾斜面Ｓを介して互いに接触されているため、先端部材４４が傾斜面Ｓに案内されるように（滑るように）移動される。よって、高さ方向Ｚのうち表側から裏側に向かう方向（図５中の矢印Ａ１方向、第１の方向）に先端部材４４が移動される。
【００４２】
一方、ビス５１を緩めた場合には、ビス５１が先端部材４４から離れるように移動される。このとき、コイルバネ４３で軸体４１が軸線Ｇ方向の前方に付勢されて、先端部材４４が軸線Ｇ方向の前方に付勢されているため、先端部材４４が傾斜面Ｓに案内されるように移動される。よって、高さ方向Ｚのうち裏側から表側に向かう方向（図５中の矢印Ａ２方向）に先端部材４４が移動される。
【００４３】
また、ビス５２を締め付けた場合には、ビス５２が先端部材４４に向かうように移動され、先端部材４４の面４４ｂがビス５２で押圧され、ビス５２の螺進方向と同じ方向（図３中の矢印Ｂ１方向、第２の方向）に先端部材４４が移動される。一方、ビス５２を緩めた場合には、ビス５２が先端部材４４から離れるように移動される。このとき、板バネ５５で先端部材４４の面４４ｃが付勢されていることから、ビス５２の螺進方向と反対の方向（矢印Ｂ２方向）に先端部材４４が移動される。
【００４４】
従って、ビス５１，５２の締め付け具合を調整することにより、ガイド軸１４が軸体４１の基端部４１ａを中心に傾くように移動され、そして、撮像された像が最適なものとなるように光軸Ｌ２が所望に調整されることとなる。
【００４５】
以上、本実施形態によれば、ガイド軸１４における高さ方向Ｚ（矢印Ａ１，Ａ２方向）及び幅方向Ｘ（矢印Ｂ１，Ｂ２方向）の位置のそれぞれを独立して調整することができ、光軸Ｌ２を精度よく調整することが可能となる。
【００４６】
また、本実施形態では、上述したように、ビス５１で軸線Ｇ方向の後側に押圧された、又はコイルバネ４３で軸線Ｇ方向の前側に付勢された先端部材４４は、傾斜面Ｓに案内されるように移動され、高さ方向Ｚに移動される。一方、ビス５２で矢印Ｂ１方向に押圧された、又は板バネ５５で矢印Ｂ２方向に付勢された先端部材４４は、幅方向Ｘに移動される。従って、ガイド軸１４における高さ方向Ｚ及び幅方向Ｘの位置のそれぞれを独立して調整するという上記作用効果を、好適に発揮することができる。
【００４７】
さらに、上述したように、ハウジング４の本体部５にビス５１が軸線Ｇ方向に螺合されると共に、ハウジング４の本体部５にビス５２が幅方向Ｘに螺合されるため、ハウジング４における高さ方向Ｚの構成上の制約（例えば、ビス５１，５２を螺合させるためのネジ長の確保等）が少なくなり、ハウジング４の薄型化を実現することができる。
【００４８】
また、本実施形態では、上述したように、ガイド軸１４が先端部材４４を有しており、この先端部材４４に傾斜面Ｓ１が形成されている。よって、軸体４１に傾斜面Ｓ１を直接形成する場合に比べて、傾斜面Ｓの面積を充分に確保することができる。
【００４９】
また、本実施形態では、上述したように、先端部材４４の面４４ｄが板バネ５５で高さ方向Ｚに付勢されているため、先端部材４４の移動を、傾斜面Ｓで積極的に案内させることが可能となる。
【００５０】
なお、本実施形態のレンズ鏡筒２は、シャッタ・ズームレンズユニット１２の光学系の光軸を調整することで、光軸Ｌ２の光軸Ｌ２を容易に調整することができるように構成されている。すなわち、ガイド軸１４は、光軸Ｌ２の調整の寄与度が最も高い光学系における移動を案内するものである。また、レンズ鏡筒２では、本体部５が樹脂で形成され、且つ本体部５の凹部４２と軸体４１の基端部４１ａとの寸法公差が嵌合公差となっており、ガイド軸１４の傾動で光軸調整に悪影響が及ぶことが抑制されている。
【００５１】
以上において、コイルバネ４３が第１の付勢部材を構成し、板バネ５５における先端部材４４の面４４ｃを幅方向Ｘに付勢する部分が第２の付勢部材を構成する。
【００５２】
次に、本発明に係る撮像装置の第２実施形態について説明する。なお、以下の説明においては、上記実施形態と同様の説明を省略し、異なる点を主に説明する。
【００５３】
図８は本発明に係る撮像装置の第１実施形態の斜視図、図９は図８の撮像装置の図３に対応する内部構成図、図１０は図８の撮像装置の図５に対応する一部断面図、図１１は図８の撮像装置におけるレンズ鏡筒の要部を示す斜視図、図１２は図１１のレンズ鏡筒の要部の正面図である。図８に示されるように、本実施形態の撮像装置６０のレンズ鏡筒７０が上記撮像装置１のレンズ鏡筒２と異なる点は、ビス５１，５２に代えてビス６１，６２を備え、図１１に示されるように、先端部材４４に代えて先端部材６３を備えた点である。
【００５４】
先端部材６３は、軸体４１の先端部４１ｂに固定されており、ガイド軸１４の先端部（他端部）を構成する。この先端部材６３、その外形が概略立方体状を呈している。図１０，１２に示されるように、この先端部材６３の先端側には、ビス（第１の押圧部材）６１に当接するための傾斜面Ｓ３が設けられている。さらに、図９，１２に示されるように、先端部材６３の先端側には、ビス（第２の押圧部材）６２に当接するためのものとして、傾斜面Ｓ３と交差する傾斜面Ｓ４が形成されている。
【００５５】
図９，１０に示されるように、この先端部材６３は、傾斜面Ｓ３を底壁５ｅ側に、且つ傾斜面Ｓ４を開口部５ｂ側にして、凹部６５に収容されている。この凹部６５は、立方体形状で後方に開口する窪みであり、本体部５においてプリズム８よりも開口部５ｂ側に設けられている。
【００５６】
図１０に示されるように、ビス６１は、頭部６１ａ及びネジ部６１ｂを含んでいる。頭部６１ａは、先端側に行くに従って狭まるような円錐台形状を呈している。ネジ部６１ｂの外周面には、雄ネジが形成されている。
【００５７】
このビス６１は、頭部６１ａの外周面Ｓ５が先端部材６３の傾斜面Ｓ３に当接するように、ハウジング４の本体部５に軸線Ｇ方向に螺合されている。具体的には、ビス６１は、本体部５に設けられ前方に開口する開口６７内に配置されている。ここでの開口６７は、本体部５において凹部６５の底面を構成する底壁部５３及び凹部６５の底壁５ｅ側の面を構成する側壁部６８の一部を、ビス６１に対応する形状で切り欠くようにして形成されている。
【００５８】
そして、ビス６１は、開口６７の底面に設けられたボス６４に軸線Ｇ方向に螺合されている。これにより、ビス６１をボス６４に締め付けることで、軸線Ｇ方向及び高さ方向Ｚと交差する傾斜面Ｓ１０（外周面Ｓ５及び傾斜面Ｓ３）を介して、ビス６１と先端部材６３とが互いに接触し、先端部材６３が押圧される。
【００５９】
また、図１１に示されるように、ビス６２は、頭部６２ａ及びネジ部６２ｂを含んでいる。頭部６２ａは、先端側に行くに従って狭まるような円錐台形状を呈している。ネジ部６２ｂの外周面には、雄ネジが形成されている。
【００６０】
図９に示されるように、ビス６２は、頭部６２ａの外周面Ｓ６が先端部材６３の傾斜面Ｓ４に当接するように、ハウジング４の本体部５に軸線Ｇ方向に螺合されている。具体的には、ビス６２は、本体部５に設けられ前方に開口する開口６６内に配置されている。ここでの開口６６は、本体部５において底壁部５３及び凹部６５の開口部５ｂ側の面を構成する側壁部５４の一部を、ビス６２に対応する形状で切り欠くようにして形成されている。
【００６１】
そして、ビス６２は、開口６６の底面に軸線Ｇ方向に螺合されている。これにより、ビス６２を開口６６の底面に締め付けることで、軸線Ｇ方向及び幅方向Ｘと交差する傾斜面Ｓ２０（外周面Ｓ６及び傾斜面Ｓ４）を介して、ビス６２と先端部材６３とが互いに接触し、先端部材６３が押圧される。
【００６２】
この撮像装置６０によれば、ビス６１で押圧された、又はコイルバネ４３及び板バネ５５で付勢された先端部材６３は、傾斜面Ｓ１０に案内されるように移動され、高さ方向Ｚに移動される。また、ビス６２で押圧された、又は、コイルバネ４３及び板バネ５５で付勢された先端部材６３は、傾斜面Ｓ２０に案内されるように移動され、幅方向Ｘに移動される。
【００６３】
従って、本実施形態においても、ガイド軸１４における高さ方向Ｚ及び幅方向Ｘの位置のそれぞれを独立して調整するという上記作用効果を奏する。さらに、本実施形態では、ビス６１，６２のそれぞれがハウジング４に軸線Ｇ方向に螺合されるため、ハウジング４における高さ方向Ｚ及び幅方向Ｘの方向の構成上の制約が少なくなり、ハウジング４の薄型化を一層実現することが可能となる
【００６４】
なお、コイルバネ４３及び板バネ５５における先端部材６３の面４４ｄを高さ方向Ｚに付勢する部分が第１の付勢部材を構成し、コイルバネ４３及び板バネ５５における先端部材６３の面４４ｃを幅方向Ｘに付勢する部分が第２の付勢部材を構成する。
【００６５】
本発明は、上述した実施形態に限定されるものではない。例えば、上記実施形態では、ガイド軸１４の多端側に先端部材４４，６３を有するが、この先端部材はなくともよい。この場合、軸体４１の他端側が直接に押圧及び付勢されることになる。
【００６６】
また、上記実施形態は、先端部材４４，６３の面４４ｄを高さ方向Ｚに付勢する部分と、先端部材４４，６３の面４４ｃを幅方向Ｘに付勢する部分と、を一体にした板バネ５５を備えたが、これらの部分を別体にした板バネを備えていてよい。さらに、板バネ５５でなくとも、付勢力を有するものであれば弾性体等でもよい。
【００６７】
また、各ステッピングモータ２１，２４は、支持部材１８を介して間接的にハウジング４に取り付けられる場合に限定されず、ハウジング４に直接取り付けられてもよい。また、レンズ鏡筒２は、屈曲光学系が適用されたものに限定されず、沈胴式光学系等が適用されたものであってもよい。
【図面の簡単な説明】
【００６８】
【図１】本発明に係る撮像装置の一実施形態の斜視図である。
【図２】図１の撮像装置の分解斜視図である。
【図３】図１の撮像装置の内部構成図である。
【図４】図１の撮像装置の駆動ユニットの斜視図である。
【図５】図３のV−V線に沿う一部断面図である。
【図６】図１の撮像装置におけるレンズ鏡筒の要部を示す斜視図である。
【図７】図６のレンズ鏡筒の要部の正面図である。
【図８】本発明に係る撮像装置の第１実施形態の斜視図である。
【図９】図８の撮像装置の図３に対応する内部構成図である。
【図１０】図８の撮像装置の図５に対応する一部断面図である。
【図１１】図８の撮像装置におけるレンズ鏡筒の要部を示す斜視図である。
【図１２】図１１のレンズ鏡筒の要部の正面図である。
【符号の説明】
【００６９】
１，６０…撮像装置、２，７０…レンズ鏡筒、３…撮像素子、４…ハウジング、１２…シャッタ・ズームレンズユニット（レンズ，レンズ枠）、１４…ガイド軸、４１ａ…基端部（ガイド軸の一端部）、４３…コイルバネ（第１の付勢部材，第２の付勢部材）、４４，６３…先端部材（ガイド軸の他端部）、５１，６１…ビス（第１の押圧部材）、５２，６２…ビス（第２の押圧部材）、５５…板バネ（第１の付勢部材，第２の付勢部材）、Ｇ…ガイド軸の軸線、Ｌ２…光軸、Ｓ，Ｓ１０，Ｓ２０…傾斜面。
【図１】
2009139579.tif 000003
【図２】
2009139579.tif 000004
【図３】
2009139579.tif 000005
【図４】
2009139579.tif 000006
【図５】
2009139579.tif 000007
【図６】
2009139579.tif 000008
【図７】
2009139579.tif 000009
【図８】
2009139579.tif 000010
【図９】
2009139579.tif 000011
【図１０】
2009139579.tif 000012
【図１１】
2009139579.tif 000013
【図１２】
2009139579.tif 000014